【手続補正書】
【提出日】令和2年3月31日(2020.3.31)
【手続補正１】
【補正対象書類名】特許請求の範囲
【補正対象項目名】全文
【補正方法】変更
【補正の内容】
【特許請求の範囲】
【請求項１】
第１取得条件の成立に基づいて、第１情報を取得する第１取得手段と、
その第１取得手段により取得された前記第１情報に基づいて第１判定を実行する第１判定手段と、
その第１判定手段による第１判定の結果に基づいた第１演出を第１演出期間で実行する第１演出実行手段と、
前記第１取得条件とは異なる第２取得条件の成立に基づいて、第２情報を取得する第２取得手段と、
その第２取得手段により取得された前記第２情報に基づいて第２判定を実行する第２判定手段と、
その第２判定手段による第２判定の結果に基づいた第２演出を第２演出期間で実行する第２演出実行手段と、
前記第１判定の結果が特定の第１判定結果であることに基づいた特定の第１演出または前記第２判定の結果が特定の第２判定結果であることに基づいた特定の第２演出が実行された場合に、遊技者に有利となる特典遊技を実行する特典遊技実行手段と、を有した遊技機において、
特定条件が成立した場合に、前記第１演出と前記第２演出とが所定回数実行されるまで遊技者に有利となる有利状態を設定する有利状態設定手段と、
その有利状態設定手段により前記有利状態が設定された場合に、前記第１判定より前記第２判定が実行され易くし、前記有利状態が終了した場合に、前記第２判定より前記第１判定が実行され易くする可変制御手段と、
前記有利状態が設定されていない場合には、前記第２演出が実行されている期間であっても、前記第１演出が予め定められた第１期間実行されないことに基づいて、第１表示態様を表示させるための第１表示設定を設定し、前記有利状態が設定されている場合には、前記第１演出が実行されている期間であっても、前記第２演出が予め定められた第２期間実行されないことに基づいて、前記第１表示態様とは異なる第２表示態様を表示させるための第２表示設定を設定する表示設定手段と、を有するものであり、
前記有利状態が設定されている場合には、前記有利状態以外の遊技状態では実行されない特定演出が実行されるものであることを特徴とする遊技機。
【請求項２】
前記第１表示態様は、液晶ディスプレイに表示されるものであることを特徴とする請求項１記載の遊技機。
【手続補正２】
【補正対象書類名】明細書
【補正対象項目名】０００２
【補正方法】変更
【補正の内容】
【０００２】
パチンコ機等の遊技機において、第１始動入賞口への遊技球の入賞に基づいて変動表示が所定期間実行される第１図柄と第２始動入賞口への遊技球の入賞に基づいて変動表示が所定期間実行される第２図柄とを有し、夫々の図柄を同時に変動可能としたものが提案されていた。
【手続補正３】
【補正対象書類名】明細書
【補正対象項目名】０００４
【補正方法】変更
【補正の内容】
【０００４】
かかる従来型の遊技機では、遊技者の遊技意欲が低下してしまうという問題があった。
【手続補正４】
【補正対象書類名】明細書
【補正対象項目名】０００６
【補正方法】変更
【補正の内容】
【０００６】
この目的を達成するために本発明の遊技機は、第１取得条件の成立に基づいて、第１情報を取得する第１取得手段と、その第１取得手段により取得された前記第１情報に基づいて第１判定を実行する第１判定手段と、その第１判定手段による第１判定の結果に基づいた第１演出を第１演出期間で実行する第１演出実行手段と、前記第１取得条件とは異なる第２取得条件の成立に基づいて、第２情報を取得する第２取得手段と、その第２取得手段により取得された前記第２情報に基づいて第２判定を実行する第２判定手段と、その第２判定手段による第２判定の結果に基づいた第２演出を第２演出期間で実行する第２演出実行手段と、前記第１判定の結果が特定の第１判定結果であることに基づいた特定の第１演出または前記第２判定の結果が特定の第２判定結果であることに基づいた特定の第２演出が実行された場合に、遊技者に有利となる特典遊技を実行する特典遊技実行手段と、を有し、特定条件が成立した場合に、前記第１演出と前記第２演出とが所定回数実行されるまで遊技者に有利となる有利状態を設定する有利状態設定手段と、その有利状態設定手段により前記有利状態が設定された場合に、前記第１判定より前記第２判定が実行され易くし、前記有利状態が終了した場合に、前記第２判定より前記第１判定が実行され易くする可変制御手段と、前記有利状態が設定されていない場合には、前記第２演出が実行されている期間であっても、前記第１演出が予め定められた第１期間実行されないことに基づいて、第１表示態様を表示させるための第１表示設定を設定し、前記有利状態が設定されている場合には、前記第１演出が実行されている期間であっても、前記第２演出が予め定められた第２期間実行されないことに基づいて、前記第１表示態様とは異なる第２表示態様を表示させるための第２表示設定を設定する表示設定手段と、を有するものであり、前記有利状態が設定されている場合には、前記有利状態以外の遊技状態では実行されない特定演出が実行されるものである。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
本発明の遊技機によれば、第１取得条件の成立に基づいて、第１情報を取得する第１取得手段と、その第１取得手段により取得された前記第１情報に基づいて第１判定を実行する第１判定手段と、その第１判定手段による第１判定の結果に基づいた第１演出を第１演出期間で実行する第１演出実行手段と、前記第１取得条件とは異なる第２取得条件の成立に基づいて、第２情報を取得する第２取得手段と、その第２取得手段により取得された前記第２情報に基づいて第２判定を実行する第２判定手段と、その第２判定手段による第２判定の結果に基づいた第２演出を第２演出期間で実行する第２演出実行手段と、前記第１判定の結果が特定の第１判定結果であることに基づいた特定の第１演出または前記第２判定の結果が特定の第２判定結果であることに基づいた特定の第２演出が実行された場合に、遊技者に有利となる特典遊技を実行する特典遊技実行手段と、を有し、特定条件が成立した場合に、前記第１演出と前記第２演出とが所定回数実行されるまで遊技者に有利となる有利状態を設定する有利状態設定手段と、その有利状態設定手段により前記有利状態が設定された場合に、前記第１判定より前記第２判定が実行され易くし、前記有利状態が終了した場合に、前記第２判定より前記第１判定が実行され易くする可変制御手段と、前記有利状態が設定されていない場合には、前記第２演出が実行されている期間であっても、前記第１演出が予め定められた第１期間実行されないことに基づいて、第１表示態様を表示させるための第１表示設定を設定し、前記有利状態が設定されている場合には、前記第１演出が実行されている期間であっても、前記第２演出が予め定められた第２期間実行されないことに基づいて、前記第１表示態様とは異なる第２表示態様を表示させるための第２表示設定を設定する表示設定手段と、を有するものであり、前記有利状態が設定されている場合には、前記有利状態以外の遊技状態では実行されない特定演出が実行されるものである。
【手続補正１０】
【補正対象書類名】明細書
【補正対象項目名】００１２
【補正方法】変更
【補正の内容】
【００１２】
よって、遊技意欲の低下を抑制することができるという効果がある。
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】２８２３
【補正方法】変更
【補正の内容】
【２８２３】
前記各遊技機は、パチンコ遊技機とスロットマシンとを融合させたものであることを特徴とする遊技機Ｚ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
パチンコ機等の遊技機において、第１始動入賞口への遊技球の入賞に基づいて変動表示が所定期間実行される第１図柄と第２始動入賞口への遊技球の入賞に基づいて変動表示が所定期間実行される第２図柄とを有し、夫々の図柄を同時に変動可能としたものがある。このような遊技機には、第１図柄と第２図柄のうち、一方の図柄が当たりに当選したことを示す態様で停止表示された場合に、変動表示中である他方の図柄の変動期間の計測を中断し、当たり遊技が終了した場合に、中断していた変動期間の計測を再開するように構成しているものがある（例えば、特許文献１：特開２００５−３１９２２１号公報）。
かかる従来型の遊技機では、変動期間の計測が中断された場合に、遊技者に違和感を与える演出が実行される虞があり、遊技者の遊技意欲が低下してしまうという問題があった。
本技術的思想は、上記例示した問題点等を解決するためになされたものであり、遊技意欲の低下を抑制する遊技機を提供することを目的とする。
＜手段＞
この目的を達成するために技術的思想１の遊技機は、第１取得条件の成立に基づいて、第１情報を取得する第１取得手段と、その第１取得手段により取得された前記第１情報に基づいて第１判定を実行する第１判定手段と、その第１判定手段による第１判定の結果に基づいた第１演出を第１演出期間で実行する第１演出実行手段と、その第１演出実行手段により実行される前記第１演出の前記第１演出期間を複数の演出期間より決定する第１演出期間決定手段と、前記第１取得条件とは異なる第２取得条件の成立に基づいて第２判定を実行する第２判定手段と、その第２判定手段による第２判定の結果に基づいた第２演出を第２演出期間で実行する第２演出実行手段と、その第２演出実行手段により実行される前記第２演出の前記第２演出期間を複数の演出期間より決定する第２演出期間決定手段と、前記第１判定の結果が特定の第１判定結果であることに基づいた特定の第１演出または前記第２判定の結果が特定の第２判定結果であることに基づいた特定の第２演出が実行された場合に、遊技者に有利となる特典遊技を実行する特典遊技実行手段と、を有し、前記特典遊技実行手段により前記特典遊技が実行される場合に、実行されている前記第１演出の前記第１演出期間または前記第２演出の前記第２演出期間の計時を仮停止する仮停止手段と、前記特典遊技の終了に基づいて、前記仮停止手段による仮停止を解除する解除手段と、前記仮停止手段により計時が仮停止されている場合にも、前記第１演出実行手段または前記第２演出実行手段に前記第１演出または前記第２演出を実行させる継続手段と、前記第１演出または前記第２演出が終了した場合にも、前記第１演出期間または前記第２演出期間の残期間がある場合に、その残期間で特定演出を実行する特定演出実行手段と、を有するものである。
技術的思想２の遊技機は、技術的思想１記載の遊技機において、前記第１演出は前記第１演出期間決定手段により決定される複数の前記第１演出期間に対応した演出期間で予め設定されているものであり、前記第２演出は前記第２演出期間決定手段により決定される複数の前記第２演出期間に対応した演出期間で予め設定されているものである。
技術的思想３の遊技機は、技術的思想１または２記載の遊技機において、前記第１演出と前記第２演出とはそれぞれの前記第１演出期間または前記第２演出期間が経過するまでの所定期間で前記第１判定または前記第２判定の結果を示す確定演出態様が設定されているものである。
技術的思想４の遊技機は、技術的思想３記載の遊技機において、前記特定演出は、前記確定演出態様の少なくとも一部で構成されているものである。
技術的思想５の遊技機は、技術的思想１から４のいずれかに記載の遊技機において、前記特典遊技実行手段は、前記第１判定手段により前記特定の第１判定結果とは異なる特別の第１判定結果と判別されたことに基づいて実行される特別の第１演出が実行された場合または前記第２判定手段により前記特定の第２判定結果とは異なる特別の第２判定結果と判別されたことに基づいて実行される特別の第２演出が実行された場合に前記特典遊技以上に遊技者に有利となる特別遊技を実行するものである。
＜効果＞
技術的思想１記載の遊技機によれば、第１取得条件の成立に基づいて、第１取得手段により取得された第１情報に基づいて第１判定手段によって第１判定が実行され、その第１判定の結果に基づいて第１演出実行手段により第１演出が第１演出期間決定手段によって複数の演出期間より決定された第１演出期間実行される。また、第１取得条件とは異なる第２取得条件の成立に基づいて、第２取得手段により取得された第２情報に基づいて第２判定手段によって第２判定が実行され、その第２判定の結果に基づいて第２演出実行手段により第２演出が第２演出期間決定手段によって複数の演出期間より決定された第２演出期間実行される。そして、第１判定の結果が特定の第１判定結果であることに基づいた特定の第１演出または第２判定の結果が特定の第２判定結果であることに基づいた特定の第２演出が実行された場合に、遊技者に有利となる特典遊技が特典遊技実行手段により実行されるものであって、特典遊技実行手段により特典遊技が実行される場合に、実行されている第１演出の第１演出期間または第２演出の第２演出期間の計時が仮停止手段により仮停止され、特典遊技の終了に基づいて、仮停止手段による仮停止が解除手段により解除される。その仮停止手段により計時が仮停止されている場合にも、継続手段によって、第１演出実行手段または第２演出実行手段に第１演出または第２演出を実行させ、第１演出または第２演出が終了した場合にも、第１演出期間または第２演出期間の残期間がある場合に、特定演出実行手段により、その残期間で特定演出が実行される。
これにより、仮停止手段により実行されている第１演出の第１演出期間または第２演出の第２演出期間の計時が仮停止される場合であっても、継続して第１演出または第２演出を実行することがかのうとなる。よって、遊技意欲の低下を抑制することができるという効果がある。
技術的思想２記載の遊技機によれば、技術的思想１記載の遊技機の奏する効果に加え、次の効果を奏する。即ち、第１演出は第１演出期間決定手段により決定される複数の第１演出期間に対応した演出期間で予め設定され、第２演出は第２演出期間決定手段により決定される複数の第２演出期間に対応した演出期間で予め設定される。
これにより、第１演出が実行される演出期間と第２演出が実行される演出期間とを予め定めておくことで、演出期間を設定する処理負荷を軽減することができるという効果がある。
技術的思想３記載の遊技機によれば、技術的思想１または２記載の遊技機の奏する効果に加え、次の効果を奏する。即ち、第１演出と第２演出には、それぞれの第１演出期間または第２演出期間が経過するまでの所定期間で第１判定または第２判定の結果を示す確定演出態様が設定される。
これにより、仮停止手段による計時の仮停止が実行されない場合であっても、第１演出または第２演出が実行されることにより、第１判定または第２判定の結果を示すことができる。よって、遊技者に分かり易い演出を実行することができるという効果がある。
技術的思想４記載の遊技機によれば、技術的思想３記載の遊技機の奏する効果に加え、特定演出が確定演出態様の少なくとも一部で構成されているため、第１演出または第２演出が終了した後に特定演出が実行されたとしても、遊技者に違和感を与えることなく演出を実行することができるという効果がある。
技術的思想５記載の遊技機によれば、技術的思想１から４のいずれかに記載の遊技機の奏する効果に加え、次の効果を奏する。第１判定手段により特定の第１判定結果とは異なる特別の第１判定結果と判別されたことに基づいて実行される特別の第１演出が実行された場合または第２判定手段により特定の第２判定結果とは異なる特別の第２判定結果と判別されたことに基づいて実行される特別の第２演出が実行された場合に、特典遊技実行手段によって、特典遊技以上に遊技者に有利となる特別遊技が実行される。
これにより、第１判定手段が実行される遊技と第２判定手段が実行される遊技との両方に対して遊技者が期待を持ちながら遊技を実行することが可能となる。よって、遊技の興趣を向上させることができるという効果がある。
【手続補正１９】
【補正対象書類名】明細書
【補正対象項目名】２８２４
【補正方法】変更
【補正の内容】
【２８２４】
１０                            パチンコ機（遊技機）
８１ 第３図柄表示装置（表示手段）
Ｓ３０１                        第１取得手段
Ｓ３０６                        第１判定手段
Ｓ３０７                        第１演出実行手段
Ｓ５０４ 可変制御手段の一部
Ｓ８０３ 第２取得手段
Ｓ８０４                        第２判定手段
Ｓ８０５                        第２演出実行手段
Ｓ１１０３ 可変制御手段の一部
Ｓ２００４                      特典遊技実行手段
Ｓ２１１２ 有利状態設定手段
Ｓ４１０５ 設定手段
Ｓ４２１２ 表示設定手段